(57)【要約】【課題】            釣り上げた小玩具体を所定の場所に収容させておくことができるように工夫した釣上げゲーム玩具を提供する。【解決手段】        ケース体に駆動源により強制回転させられる回転盤を設け、この回転盤に設けた複数の収容穴に口部を有する小玩具体を上下動自在に収容させ、カムを用いて前記回転盤の回転に伴い前記小玩具体を上下動させて前記口部を開閉させ、釣具を用いて前記小玩具体を釣り上げるように構成したものにおいて、前記ケース体に釣り上げた前記小玩具体を載置するトレーを設ける。このトレーを前記ケース体へ設けるに当り、前記トレーに差込部を設け、不使用時には前記トレーを前記ケース体の下部へ着脱可能に嵌め込み、使用時には前記ケース体に半径方向に渡って設けたスリットへ前記差込部を差し込むことによって前記ケース体の側部へ固定させる。【選択図】          図６
2005270526.tif 000002
【特許請求の範囲】
【請求項１】
ケース体に駆動源により強制回転させられる回転盤を設け、この回転盤に設けた複数の収容穴に口部を有する小玩具体を上下動自在に収容させ、カムを用いて前記回転盤の回転に伴い前記小玩具体を上下動させて前記口部を開閉させ、釣具を用いて前記小玩具体を釣り上げるように構成したものにおいて、前記ケース体に釣り上げた前記小玩具体を載置するトレーを設けたことを特徴とする、釣上げゲーム玩具。
【請求項２】
前記ケース体は、上下方向に上部ケース体と下部ケース体に分割されていることを特徴とする、請求項１に記載の釣上げゲーム玩具。
【請求項３】
前記トレーを前記ケース体へ設けるに当り、前記トレーに差込部を設け、不使用時には前記トレーを前記ケース体の下部へ着脱可能に嵌め込み、使用時には前記ケース体に半径方向に渡って設けたスリットへ前記差込部を差し込むことによって前記ケース体の側部へ固定させることを特徴とする、請求項１に記載の釣上げゲーム玩具。
【請求項４】
前記差込部は、前記トレーの周壁の一部を切り欠くことによって、その底板に形成されていることを特徴とする、請求項３に記載の釣上げゲーム玩具。
【請求項５】
前記回転盤を複数個設けたものは、前記トレーを複数個用意することを特徴とする、請求項１乃至４のいずれかに記載の釣上げゲーム玩具。
【発明の詳細な説明】
【技術分野】
【０００１】
この発明は、とくに魚釣りを模した釣上げゲーム玩具に関する。
【背景技術】
【０００２】
従来、ケース体内部にモータ、ゼンマイ等の駆動源により強制回転させられる一つの回転盤を設け、この回転盤に設けた複数の収容穴に口部を有する小玩具体を上下動自在に収容させ、前記回転盤の回転に伴いカムを用いて前記小玩具体を上下動させて口部を開閉させ、開口時に釣具の釣糸の先端に取り付けた磁石、或は係止手段を用いて前記口部を磁力吸着、或は係止して釣り上げるように構成した釣上げゲーム玩具が、下記特許文献１に示したように公知である。
【０００３】
このゲーム玩具は回転盤が回転している間に何個の小玩具体を釣り上げることができるかを競うものであるが、回転盤が一つのために、例えば二人で競争してゲームを行う場合には、釣具の釣糸が互いに絡まってしまう場合をしばしば生ずるという欠点があった。
【０００４】
そこで、複数の回転盤を用いたものが開発され、この釣上げゲーム玩具も下記する特許文献２により公知である。
【０００５】
【特許文献１】実開昭５７−１９１３７９号公開実用新案公報
【特許文献２】実公平４−３１１１７号公開特許公報
【発明の開示】
【発明が解決しようとする課題】
【０００６】
上述した従来公知の釣上げゲーム玩具は、釣具を用いて釣り上げた小玩具体をばらばらの状態でゲーム玩具の脇に置くため、応々にして小玩具体が紛失し易く、釣上げゲーム玩具を購入してもすぐにゲームに支障を来たしてしまうという問題があった。この問題点は小玩具体の数が多くなればなるほど増大する傾向があった。
【０００７】
この発明の目的は、釣り上げた小玩具体を所定の場所に収容させておくことができるように工夫した釣上げゲーム玩具を提供せんとするにある。
【課題を解決するための手段】
【０００８】
上述した目的を達成するためにこの発明は、ケース体に駆動源により強制回転させられる回転盤を設け、この回転盤に設けた複数の収容穴に口部を有する小玩具体を上下動自在に収容させ、カムを用いて前記回転盤の回転に伴い前記小玩具体を上下動させて前記口部を開閉させ、釣具を用いて前記小玩具体を釣り上げるように構成したものにおいて、前記ケース体に釣り上げた前記小玩具体を載置するトレーを設けたことを特徴とする。
【０００９】
その際にこの発明は、前記ケース体は、上下方向に上部ケース体と下部ケース体に分割されていることを特徴とする。
【００１０】
この発明はまた、前記トレーを前記ケース体へ設けるに当り、前記トレーに差込部を設け、不使用時には前記トレーを前記ケース体の下部へ着脱可能に嵌め込み、使用時には前記ケース体に半径方向に渡って設けたスリットへ前記差込部を差し込むことによって前記ケース体の側部へ固定させることを特徴とする。
【００１１】
この発明はさらに、前記差込部を、前記トレーの周壁の一部を切り欠くことによって、その底板に形成されていることを特徴とする。
【００１２】
そして、この発明は、前記回転盤を複数個設けたものについては、前記トレーを複数個用意することを特徴とする。
【発明の効果】
【００１３】
請求項１のように構成すると、釣上げゲーム玩具の使用時にトレーをケース体へ取り付けることにより、釣り上げた小玩具体をトレー上に置いておくことができることから、小玩具体が周囲に散乱したり、紛失したりするのを防止することができる。
【００１４】
請求項２のように構成すると、上部ケース体内部の機構が外部へ露出するのを防止できる。
【００１５】
請求項３のように構成すると、トレーの不使用時に該トレーが紛失しないようにケース本体へ嵌着させておくことができる上に、使用時にケース本体へ接続させて用いることができることから、店頭へ並べるための包装がし易く、設置スペースを取らず、玩具としてまとまりが良いという効果を奏し得る。
【００１６】
請求項４のように構成すると、トレーをケース本体に対し着脱可能に構成し易いという効果を奏し得る。
【００１７】
請求項５のように構成すると、ゲーム者ごとに釣り上げた小玩具体を別々にトレーに分けておくことができる。
【発明を実施するための最良の形態】
【００１８】
【実施例１】
【００１９】
以下にこの発明の一実施例を図面に基づいて詳細に説明する。図１乃至図２において、第１ケース部１ａと第２ケース部１ｂから成る平面略ひょうたん型のケース体１には、各ケース部１ａ，１ｂに応じて窪所２，２が設けられており、この窪所２，２内部には、中央部に底部へ貫通する軸受孔３，３を設けた軸受筒４，４と、弧状のカム体５，５・５，５が設けられている。各窪所２，２内部には回転盤６，６が収納されており、この回転盤６，６は中心部より回転支軸７，７が垂設されると共に、外周部にギア部８，８を有し、さらに面部には複数の小玩具体収容部９，９・・・が放射状に設置されている。尚、ケース体１は上下方向に上部ケース体１ａと下部ケース体１ｄに分割されているものが示されているが、この上部ケース体1ｃと下部ケース体１ｄを分割せずに一体に構成しても良い。
【００２０】
回転盤６，６は、とくに図３に示したように、回転支軸７，７を軸受筒４，４に形成させた軸受孔３，３へ回転自在に軸挿させつつ、該軸受孔３，３へワッシャー１０を介してビス１１で抜け出ないように係止されており、小玩具体収容部９，９・・・には全体で一つの輪を作るように弧状の溝９ａ，９ａ・・・が設けられ、回転盤６，６の回転に伴って、溝９ａ，９ａ・・・内へカム体５，５・５，５が次々と出没するように構成されている。尚、回転支軸７，７を軸受筒４，４へ回転可能に係止する手段は、ワッシャー１０とビス１１によらず、特許文献２に記載されているように、回転支軸７，７の先端を軸方向に分割して、その先端に軸受孔３，３と係合する係合突起を設けるようにしてもよい。
【００２１】
他方、窪所２，２の間には、とくに図５に示したように、ゼンマイを駆動源１２とするギア式の駆動力伝達手段１３が設置されている。この駆動力伝達手段１３は、とくに図５に示したように、機枠２７に回動可能に取り付けた巻上軸１８に駆動源１２と共に固着した手動ギア２０と、駆動ギア１４を取り付け機枠２７に回動可能に取り付けた従動軸２１と、この従動軸２１に取り付けられて手動ギア２０と噛合している従動ギア２２とで構成されており、この駆動力伝達手段１３に従動軸２１に同じく取り付けられた中間ギア２３と、この中間ギア２３と噛合し機枠２７に回動可能に設けた中間軸２４に取り付けられた中間小ギア２５と、中間軸２４に取り付けられた音声発生ギア２６と、巻上軸１８に揺動可能に取り付けられ先端２８ａ，２８ａ（一方のみ表示）を音声発声ギア２６の両側に着脱可能に噛合させた平面二又形状の音声発生片２８とから成る音声発生手段２９が設けられている。
【００２２】
そして、とくに図３に示したように、窪所２，２の壁部に設けた切欠２ａ，２ａからは、駆動ギアの両側部が突出し、各回転盤６，６に設けたギア部８，８と噛合している。尚、駆動源１２はモータであっても良い。
【００２３】
さらに、回転盤６，６に設けた小玩具体収容部９，９・・・には、魚を模した小玩具体１５，１５が上部を突出させて収容されており、この小玩具体１５，１５・・・は、とくに図４に示したように、胴部１５ａと、その上部に設けられた口部１５ｂとから成り、口部１５ｂは下顎部１５ｃと、この下顎部１５ｃに対向して胴部１５ａの上部に開閉自在に軸着された上顎部１５ｄと、この上顎部１５ｄで閉じられた内部に固着された鉄片１６とから構成されている。
【００２４】
次に、ケース体１の第１ケース部１ａと第２ケース部１ｂの各々底部側に着脱可能に嵌着されてトレー１７，１７が取り付けられている。このトレー１７，１７は、周壁１７ａ，１７ａの一部を切り欠くことにより、底板１７ｂ，１７ｂの一部を差込部１７ｃ，１７ｃとしている。そして、ケース体１の側部には、トレー１７，１７の差込部１７ｃ，１７ｃを挿入させるスリット１ｅ，１ｆが半径方向に設けられている。尚、このトレーは不使用時に必ずしもケース体１の底部に着脱可能に嵌着できるように構成しなくとも良く、さらにそれはケース体１に対し一体に設けたり、ケース体１に対し水平方向へ旋回可能に設けても良い。
【００２５】
次に、使用方法について説明する。まず、各トレー１７，１７を第１ケース部１ａと第２ケース部１ｂより取り外して、図６に示したように、その差込部１７ｃ，１７ｃをスリット１e，１fへ挿入させてやると、図７に示したように、各トレー１７，１７はケース本体１の両側へ装着固定される。
【００２６】
次いで、小玩具体１５，１５・・・を回転盤６，６に設けた小玩具体収容部９，９，・・・内へ口部を上にして収容させる。すると、小玩具体１５，１５・・・のうち、カム体５，５・・・上に載っているものは、該小玩具体１５，１５・・・が上方へ移動しており、図３に示したように、上顎部１５ｄが回転して下顎部１５ｃより離れて口部１５ｂを開口させているが、他の小玩具体１５，１５は小玩具体収容部９，９・・・内へ深く落ち込み、上顎部１５ｄが下顎部１５ｃとくっついて口部１５ｂを閉じることになる。そこで、駆動源１２より導出させてケース体１より突出した巻上軸１８に取り付けた摘子１９を回して駆動源１２を巻いて手を離すと、上述した構成の駆動力伝達手段１３を介して駆動ギア１４が回転するので、この駆動ギア１４とギア部８，８を噛合している回転盤６，６が、一方は時計方向に、他方は反時計方向に回転を始める。この時、音声発生手段２９の音声発生片２８の先端２８ａ，２８ａが、音声発生ギア２６の噛部に対する嵌入、離脱を繰り返すことにより、「キリキリ」という音声を発生させる。この音声は、巻上軸１８を回して駆動源１２のゼンマイを巻込む際にも発生する。
【００２７】
回転盤６，６の回転につれてカム体５，５・・・上に載った小玩具体１５，１５・・・は、上顎部１５ｄが自重で回転して口部１５ｂを開くが、カム体５，５・・・上に載っていない小玩具体１５，１５は、胴部１５ａ，１５ａ・・・の重量により小玩具体収容部９，９・・・内へ落下して上顎部１５ｄ，１５ｄを閉じ、口部１５ｂ，１５ｂ・・・を閉ざすことになり、この口部１５ｂ，１５ｂ・・・の開閉を交互に行うことになる。
【００２８】
そこで、図２に示したように別に用意してある釣具３０の竿部３０ａを手で持ち、釣糸３０ｂの先端に取り付けた磁石３１を用いてこれを開口状態にある小玩具体１５，１５・・・の口部１５ｂ，１５ｂ・・・内へ降ろし、該口部１５ｂ，１５ｂ・・・内に取り付けた鉄片１６を磁力吸着させ釣り上げるものである。そして、駆動源１２のゼンマイが巻き戻され回転盤６，６が停止するまでの間にいくつ釣り上げることができるかを競うものである。
【００２９】
この場合にこの発明に係るものは、小玩具体１５，１５・・・を収容させる回転盤６，６を二つ設け、同時に回転するようにしたので、例えば二人でゲームをする場合に、互いに一つずつ回転盤６，６を選べば、ゲーム中に互いの釣糸３０ｂ，３０ｂがもつれてしまうようなことがないものである。
【００３０】
さらに、二人以上の多人数でもゲームを楽しむことができ、回転盤６，６の回転方向が各々逆であるので、それだけ変化に富んだゲームを行うことができるものである。
【００３１】
また、駆動源１２を一つにし、この駆動源１２で二つの回転盤６，６を回転させるように構成したので、構造がそれだけ簡単になり、従来のものより回転盤を増やしても製造コストを可及的に下げることができるものである。
【００３２】
さらに、この発明は小玩具体を磁力吸着力を利用して釣り上げるものを示したが、これを係止手段によって釣上げるように構成したものにそのまま応用できることは言うまでもない。
【００３３】
そして、釣り上げた小玩具体１５，１５・・・を、ケース本体１の両側部に装着させたトレー１７，１７上に、釣上げた各回転盤６，６ごとに分けて載せて置くことにより、釣り上げた数を数え易くすることができ、ゲーム中に小玩具体１５，１５・・・がゲーム玩具の周囲に散乱してしまうのを防止することができるものである。
【００３４】
ゲームが終了したら、トレー１７，１７をスリット１ｅ,１ｆより取り外して、ケース本体１の第１ケース部１ａと第２ケース部１ｂの各底部へ嵌着させて置くことにより、収納スペースを省略できた上に、トレー１７，１７の紛失を防止することができるものである。また、トレー１７，１７をケース本体１の底部に嵌着させて置くように構成することは、この発明に係るゲーム玩具を、販売用に包装する際にコンパクトになり、嵩張らなくさせることができるという効果をも合わせ奏しうる。
【産業上の利用可能性】
【００３５】
以上のように構成したこの発明に係る釣上げゲーム玩具が周囲に散乱するのを防止して余り乱雑になることがないようにゲームをすることができ、かつ、小玩具体の紛失を極力防止できることにより、子供たちの遊戯具として最適である。
【図面の簡単な説明】
【００３６】
【図１】この発明に係るゲーム玩具の正面図である。
【図２】図１に示したゲーム玩具から小玩具体を取り除いて見た平面図である。
【図３】図１に示したゲーム玩具の縦断面図である。
【図４】小玩具体の斜視図である。
【図５】駆動力伝達手段の説明図である。
【図６】この発明に係る小玩具体のケース本体へのトレー装着方法を説明する説明図である。
【図７】この発明に係る小玩具体のケース本体へトレーを装着して見た斜視図である。
【符号の説明】
【００３７】
１  ケース体
１ａ  第１ケース部
１ｂ  第２ケース部
１ｃ  上部ケース体
１ｄ  下部ケース体
１ｅ  スリット
１ｆ  スリット
２  窪所
２ａ  切欠
３  軸受孔
４  軸受筒
５  カム体
６  回転盤
７  回転支軸
８  ギア部
９  小玩具体収容部
９ａ  溝
１０  ワッシャー
１１  ビス
１２  駆動源
１３  駆動力伝達手段
１４  駆動ギア
１５  小玩具体
１５ａ  胴部
１５ｂ  口部
１５ｃ  下顎部
１５ｄ  上顎部
１６  鉄片
１７  トレー
１７ａ  周壁
１７ｂ  底板
１７ｃ  巻込部
１８  巻上軸
１９  摘子
２０  主動ギア
２１  従動軸
２２  従動小ギア
２３  中間ギア
２４  中間軸
２５  中間小ギア
２６  音声発生ギア
２７  機枠
２８  音声発生片
２８ａ  先端
２９  音声発生手段
３０  釣具
３０ａ  竿部
３０ｂ  釣糸
３１  磁石
【図１】
2005270526.tif 000003
【図２】
2005270526.tif 000004
【図３】
2005270526.tif 000005
【図４】
2005270526.tif 000006
【図５】
2005270526.tif 000007
【図６】
2005270526.tif 000008
【図７】
2005270526.tif 000009